(57)【要約】【課題】外装材の内側に形成される通気用空間部からの雨水等水液の排水を有効に行わせることができ、通気性も良好になると共に、外装材用下地の施工を能率良く行うことができる外装パネルを提供する。【解決手段】長方形板状のパネル本体２と、パネル本体２の裏面にその長辺と平行に延びるびるように複数条に配設された帯板状の胴縁３とからなる外装パネル１であって、これらパネル本体２と胴縁３とが窯業系材料によって一体に形成されている。【選択図】図１
2005256380.tif 000002
【特許請求の範囲】
【請求項１】
長方形板状のパネル本体と、該パネル本体の裏面にその長辺と平行に延びるびるように複数条に配設された帯板状の胴縁とからなる外装パネルであって、これらパネル本体と胴縁とが窯業系材料によって一体に形成されてなることを特徴とする外装パネル。
【請求項２】
各胴縁にはその長手方向一定間隔おきに切欠部が形成されていることを特徴とする請求項１に記載の外装パネル。
【請求項３】
パネル本体の表面には、裏面側に配設されている各胴縁の位置をその表面側に表示するためのマークが設けられていることを特徴とする請求項１又は２に記載の外装パネル。
【請求項４】
パネル本体の両長辺側端部には、隣り合うパネル本体同士を接合する合じゃくり部が形成されていることを特徴とする請求項１〜３の何れかに記載の外装パネル。
【請求項５】
パネル本体の表面には、多数のタイル張り用接着剤掛止溝がパネル本体の長手方向に所要間隔をおいて幅方向全長に亘り条設されている請求項１〜４の何れかに記載の外装パネル。
【発明の詳細な説明】
【技術分野】
【０００１】
本発明は、建築物の外壁面に装着される外装パネルに関するものである。
【背景技術】
【０００２】
建築物の外壁材として、一般に長方形板状のサイディングボードが使用されている。このサイディングボードは、図５に示すような建物躯体の壁下地材に取り付けられるようになっている。この図５は縦張りサイディング用の下地を示したもので、複数本の柱８とこれら柱８間に配設される間柱９とに対しそれらの室外側から構造用合板１０を当て付けて固定し、この構造用合板１０の室外側面に透湿防水シート１２を貼り付け、この透湿防水シート１２の上に、通常１８２０ｍｍの長さの帯板状の横胴縁１３を、図示のように上下に３００〜４００ｍｍ程度の間隔をおいて且つ互いの対向端部間に一定の隙間Ｓ（４５ｍｍ）を設けた状態に配置して構造用合板１０に対し釘打ちして固定することによって、縦張りサイディング用下地が形成される。しかして、図５の仮想線で示すように縦に配置されたサイディングボード１１が横胴縁１３に対し釘打ちして固定される。図において、１４は基礎を示す。
【０００３】
また、サイディングボードを横向きに配置して下地に取り付ける横張りサイディングボードについては、図示を省略するが、上記縦張りサイディング用下地と略々同様な下地に設けてある、柱の長さと略同じ長さを有して上下方向に連続して延びる帯板状の縦胴縁に、横向きに配置したサイディングボードを釘打ちして固定するようになっている。
【発明の開示】
【発明が解決しようとする課題】
【０００４】
外壁材として上記のようなサイディングボードを使用して建物の外壁を形成する場合、特に縦張りサイディングでは、図５から分かるように、横胴縁１３の長さが通常１８２０ｍｍと相当に長く、またこの横胴縁１３の対向端部間の隙間がＳが４５ｍｍ程度と小さいことから、外装材の内側に形成される通気用空間部、即ちこれら横胴縁１３と、構造用合板１０に貼着された透湿防水シート１２と、サイディングボード１１との間に形成される空間部に雨水等の水液が侵入した時に、その水液が排水され難く、当該空間部内に滞留して、サイディングボード１１を劣化させるといった問題があった。また、サイディング用下地の形成にあたっては、縦張り及び横張りの何れの場合も、横胴縁１３を構造用合板１０に貼着された透湿防水シート１２上の所定位置に位置決めすると共に、構造用合板１０に釘打ちしなければならないため、その位置決め及び釘打ち作業に非常な手間と時間を要し、サイディング用下地の施工能率が悪かった。
【０００５】
本発明は、上記の課題に鑑み、外装材の内側に形成される通気用空間部からの雨水等水液の排水を有効に行わせることができ、通気性も良好になると共に、外装材用下地の施工を能率良く行うことができる外装パネルを提供することを目的とする。
【課題を解決するための手段】
【０００６】
上記課題を解決するための手段を、後述する実施形態の参照符号を付して説明すると、請求項１に係る発明は、長方形板状のパネル本体２と、該パネル本体２の裏面にその長辺と平行に延びるびるように複数条に配設された帯板状の胴縁３とからなる外装パネル１であって、これらパネル本体２と胴縁３とが窯業系材料によって一体に形成されてなることを特徴とする。
【０００７】
請求項２は、請求項１に記載の外装パネルにおいて、各胴縁３にはその長手方向一定間隔おきに切欠部３ｏが形成されていることを特徴とする。
【０００８】
請求項３は、請求項１又は２に記載の外装パネルにおいて、パネル本体２の表面には、裏面側に配設されている各胴縁３の位置をその表面側に表示するためのマーク６が設けられていることを特徴とする。
【０００９】
請求項４は、請求項１〜３の何れかに記載の外装パネルにおいて、パネル本体２の両長辺側端部には、隣り合うパネル本体２，２同士を接合する合じゃくり部４，５が形成されていることを特徴とする。
【００１０】
請求項５は、請求項１〜４の何れかに記載の外装パネルにおいて、パネル本体２の表面には、多数のタイル張り用接着剤掛止溝１８がパネル本体２の長手方向に所要間隔をおいて幅方向全長に亘り条設されていることを特徴とする。
【発明の効果】
【００１１】
上記解決手段による発明の効果を、後述する実施形態の参照符号を付して説明すると、請求項１によれば、パネル本体２の裏面側に形成される通気用空間部１７には、パネル本体２の長辺と平行に延びる複数条の胴縁３が介在するだけであるから、この外装パネル１を縦張り施工に使用する場合には、この通気用空間部１７に雨水等の水液が侵入しても、その水液は、この空間部１７内に滞留するようなことがなく、パネル本体２の下端部に臨む通気用空間部１７の下端部から速やかに室外に排出されることになり、またこの通気用空間部１７内への外気の流入及びこの空間部１７からの空気の流出が容易となって、通気性の極めて良好な空間部１７となる。従って、建物外壁の劣化を防止して、その耐久性が高められる。
【００１２】
また、この発明の外装パネル１を使用すれば、従来のサイディングボード用下地を形成する場合のように多数の胴縁をいちいち取り付ける必要がなく、従って胴縁の位置決め作業及び釘打ち作業の手間が省け、外装パネル用下地の施工能率を大幅に向上させることができる。
【００１３】
請求項２によれば、外装パネル１は、各帯板状胴縁３にその長手方向一定間隔おきに切欠部３ｏが形成されているから、縦張り施工と横張り施工の両方に用いることができる。即ち、横張りする場合には、各帯板状胴縁３が水平方向に位置した状態でパネル本体２の裏面側に形成される通気用空間部１７に雨水等の水液が侵入しても、その水液は、各帯板状胴縁３の切欠部３ｏから下方へ流下するから、この空間部１７内に滞留するようなことがなく、速やかに室外に排出される。
【００１４】
請求項３によれば、外装パネル１を外装パネル用下地に釘１５打ちする時に、パネル本体２の表面側に表示されているマーク６のところから打ち込むようにすれば、釘１５が胴縁３から外れることがなく、正確な釘１５打ちが行える。
【００１５】
請求項４によれば、隣り合う外装パネル１，１は、対向するパネル本体２，２の端部同士の合じゃくり部４，５を互いに係合させることによって簡単容易に接合させることができる。
【００１６】
請求項５によれば、パネル本体２の表面に接着剤によりタイルを貼着して使用する場合に、塗布される接着剤がタイル張り用接着剤掛止溝１８に有効に引っ引っ掛かり、タイルがパネル表面から剥離して脱落するのを防止できる。
【発明を実施するための最良の形態】
【００１７】
以下に本発明の好適な実施形態を図面に基づいて説明する。図１の(a) は本発明に係る外装パネル１を裏面側から見た正面図であり、(b) は(a) のＸ−Ｘ線断面図であり、(c)
は(a) のＹ−Ｙ線断面図である。図２は同外装パネル１を表面側から見た正面図であり、図３は外装パネル１の使用状態を示す拡大詳細水平断面図であり、図４は拡大詳細垂直断面図である。
【００１８】
図１の(a) 〜(c) から分かるように、この外装パネル１は、長方形板状のパネル本体２と、このパネル本体２の裏面にその長辺と平行に延びるびるように複数条（この実施形態では２条）に配設された帯板状の胴縁３とからなるもので、これら長方形板状パネル本体２と帯板状胴縁３とが窯業系材料によって一体に形成されており、そして各帯板状胴縁３にはその長手方向一定間隔おきに切欠部３ｏが形成され、それによって各帯板状胴縁３はその長手方向に一定間隔おきに所定長さの胴縁部３ａを形成している。この外装パネル１は、パネル本体２が従来のサイディングボードに相当し、胴縁３が従来のサイディングボードとは別個に形成されて単体で使用される胴縁に相当する。
【００１９】
パネル本体２の左右両長辺側端部には、パネル使用時に隣り合うパネル本体２，２同士を接合するための互いに係合可能な断面Ｌ字状の合じゃくり部４，５が形成されている。この合じゃくり部４，５は、図１の(a) 及び(b) に示すように、パネル本体２の表面側を向くように形成された表じゃくり部４と、パネル本体２の裏面側を向くように形成された裏じゃくり部５とから構成されている。
【００２０】
この外装パネル１は、上記のようにパネル全体が窯業系材料によって一体形成されるものであるが、具体的には、ガラス繊維強化セメント、軽量発泡コンクリートなどによってあるいはセラミックスを主成分とする材料によって形成される。セラミックスを主成分とする場合には、粘土、長石を主成分とし、これにガラス、セメント、無機骨材等を加えたものが使用できる。
【００２１】
また、この外装パネル１の寸法を参考までに例示すれば、パネル本体２の長辺の長さは例えば３０３０ｍｍ、短辺の長さは例えば９００ｍｍであり、その厚さは例えば１２ｍｍである。また各帯板状胴縁３の幅は６０ｍｍ、その厚さ、つまりパネル本体２の裏面からの胴縁３の突出高さは例えば１５ｍｍであり、また胴縁３の長手方向に沿った切欠部３ｏの間隔は例えば５０ｍｍで、この切欠部３ｏによって分割形成される胴縁部３ａの長さは例えば３００ｍｍである。また、隣り合う帯板状胴縁３，３のピッチは例えば４５０ｍｍ程度である。
【００２２】
この外装パネル１は、後述するように使用の際にはパネル本体２の表面側から胴縁３を通して構造用合板１０及び柱８又は間柱９に対し釘止めされることから、パネル本体２の表面には、裏面側に配設されている各胴縁片３の位置が表面側から分かるように各胴縁片３の位置をその表面側に表示するためのマーク６が形成されている。即ち、図２に示すように、パネル本体２の表面側には、その裏面側に各切欠部３ｏによって分割形成された各胴縁部３ａの中心位置に対応する位置に例えば縦棒線からなるマーク６が墨などによって表示されている。
【００２３】
上記のような構成よりなる外装パネル１を建築物の外壁面に縦張りして外壁を施工する場合には、図３及び図４から分かるように、建物躯体を構成する柱８、間柱９及び土台１６にわたって、例えば板厚が９ｍｍのベニヤ板等からなる構造用合板１０を釘等（図示せず）によって取り付け固定し、この構造用合板１０の室外側面に透湿防水シート１２を貼り付けることによって、外装パネル１用の下地を施工する。
【００２４】
こうして外装パネル１用の下地を施工した後、本発明に係る外装パネル１をその長辺が上下方向となるように立てた状態で、パネル本体２裏面側にそれと一体に形成されている複数条の胴縁３を透湿防水シート１２の上に当て付け、パネル本体２の表面側から所要の胴縁部３ａを介して構造用合板１０及び柱８又は間柱９に対し釘１５を打ち込んで、外装パネル１を固定すればよい。図３に示すように、左右に隣り合う外装パネル１，１は、対向するパネル本体２，２の端部同士の合じゃくり部４，５を互いに係合させることによって接合する。
【００２５】
尚、合じゃくり部４，５の表じゃくり部４に予めシール材１８が塗布されているから、その表じゃくり部４と裏じゃくり部５とが係合することによって、隣り合うパネル本体２，２同士の接合部は水密シールされる。また、外装パネル１を釘打ちする際には、パネル本体２の表面側に表示されているマーク６のところから打ち込むようにすれば、釘１５が胴縁３、特に胴縁部３ａから外れることがなく、正確な釘打ちが行える。
【００２６】
上記のような外装パネル１を使用して形成した建物外壁によれば、外装パネル１の内側面であるパネル本体２の裏面と、構造用合板１０の室外側面に貼着された透湿防水シート１２との間に形成される通気用空間部１７には、パネル本体２の長辺と平行に、即ち上下方向に延びる複数条の胴縁３が介在するだけであるから、この通気用空間部１７に雨水等の水液が侵入しても、その水液は、この空間部１７内に滞留するようなことがなく、図４の矢印Ｗにより示すように、パネル本体２の下端部に臨む通気用空間部１７の下端部から速やかに室外に排出されることになり、またこの通気用空間部１７内への外気の流入及びこの空間部１７からの空気の流出が容易となって、通気性の極めて良好な空間部１７となる。従って、建物外壁の劣化を防止して、その耐久性を高めることができる。
【００２７】
また、この外装パネル１を使用すれば、従来のサイディングボード用下地を形成する場合のように多数の胴縁をいちいち取り付ける必要がなくなり、従って胴縁の位置決め作業及び釘打ち作業の手間が省け、外装パネル用下地の施工能率を大幅に向上させることができる。
【００２８】
図１の(a) 〜(c) 、図２、図３及び図４の(a) に示す外装パネル１は、通常はその表面に適当な塗装を施して、そのまま使用されるが、この外装パネル１の表面に接着剤によりタイルを貼着して使用される場合もある。タイルが貼着される外装パネル１の表面には、図４の(b) に示すように、塗布される接着剤がパネル表面に有効に引っ掛かって剥離しないようにするめのタイル張り用接着剤掛止溝１８が、パネル本体２の長手方向（上下方向）に例えば１０ｃｍの間隔をおいて幅方向全長に亘り条設されている。この接着剤掛止用溝条１８は、好ましくは、図４の(b) に示すように、水平底面部１８ａと斜壁面部１８ｂとからなる断面三角形に形成されるのがよい。
【００２９】
以上、本発明に係る外装パネル１を建築物の外壁面に縦張りして外壁を施工する場合について説明したが、この外装パネル１は、パネル本体２の長辺が水平方向となるように横向きにして張り付ける横張り施工にも使用することができる。即ち、この外装パネル１は、各帯板状胴縁３にその長手方向一定間隔おきに切欠部３ｏが形成されているから、横張り施工において、各帯板状胴縁３が水平方向に位置した状態でパネル本体２の裏面側に形成される通気用空間部１７に雨水等の水液が侵入しても、その水液は、各帯板状胴縁３の切欠部３ｏから下方へ流下するから、この空間部１７内に滞留することがなく、速やかに室外に排出され、またこの空間部１７内への外気の流入及びこの空間部１７からの空気の流出が容易となって、通気性の極めて良好な空間部１７となる。
【００３０】
また、以上説明した実施形態の外装パネル１は、各帯板状胴縁３にその長手方向一定間隔おきに切欠部３ｏを形成したものであるが、本発明に係る外装パネルは、このような切欠部が形成されていない複数条の帯板状胴縁３をパネル本体２の裏面に一体形成した外装パネルを含むものである。このような外装パネルは、張り付ける横張り施工には適用できないが、縦張り施工については、上述した実施形態の場合と同様の作用効果を奏することができる。
【００３１】
また、この実施形態では、外装パネル１を木造建物の外壁面に装着する場合について説明したが、本発明に係る外装パネル１は、鉄骨建物に対しても、上述の説明と同様にして適用可能である。
【図面の簡単な説明】
【００３２】
【図１】(a) は本発明に係る外装パネルを裏面側から見た正面図、(b) は(a) のＸ−Ｘ線断面図であり、(c) は(a) のＹ−Ｙ線断面図である。
【図２】同外装パネルを表面側から見た正面図である。
【図３】同外装パネルの使用状態を示す拡大詳細水平断面図である。
【図４】(a) は同外装パネルの使用状態を示す拡大詳細垂直断面図、(b) はパネル本体表面にタイル張り用接着剤掛止溝を形成した実施形態を示す(a) と同様な断面図である。
【図５】従来の胴縁の使用による縦張りサイディング用下地を示す斜視図である。
【符号の説明】
【００３３】
１            外装パネル
２            パネル本体
３            胴縁
３ａ          胴縁部
３ｏ          切欠部
４，５        合じゃくり部
４            表じゃくり部
５            裏じゃくり部
６            マーク
１８          タイル張り用接着剤掛止溝
【図１】
2005256380.tif 000003
【図２】
2005256380.tif 000004
【図３】
2005256380.tif 000005
【図４】
2005256380.tif 000006
【図５】
2005256380.tif 000007